(57)【要約】【課題】  流通・消費過程で簡便に確実に製品の真正性を認証し、製品情報を入手できる製品認証システム等を提供する。【解決手段】  サーバ１０１は、登録したユーザ情報３０を基に、会員証１０と製品認証ラベル１１に付与する原情報に対して、分割２次元バーコード１５を生成し、生成した分割２次元バーコード１５−Ａ（鍵コード）を会員証１０に印刷、発行し、生成した分割２次元バーコード１５−Ｂ（公開情報＋暗号化コード）を製品認証ラベル１０に印刷、発行する。携帯型端末装置１０３は、読み取った会員証１０の分割２次元バーコード１５−Ａと、購入した製品２０の製品認証ラベル１１の分割２次元バーコード１５−Ｂを合成（復号化）した原情報を復元した認証結果であるＵＲＬ情報３１により、サーバ１０１の所定のサイトにアクセスし、製品の関連情報３２の閲覧を行う。【選択図】  図８
2007025738.tif 000002
【特許請求の範囲】
【請求項１】
ネットワークを介して、ユーザのバーコードリーダの機能を有する携帯型端末装置と、接続される製造メーカのサーバであって、
前記携帯型端末装置からのユーザ登録を行うと、会員証と、出荷する製品に貼り付けられる認証ラベルと、に付与する原情報に対して、分割された分割２次元バーコードを生成する生成手段と、
生成した一方の分割２次元バーコードを前記会員証に印刷し、前記ユーザに発行する会員証発行手段と、
生成した他方の分割２次元バーコードを、出荷する製品に貼り付ける認証ラベルに印刷し、発行する認証ラベル発行手段と、
を具備することを特徴とするサーバ。
【請求項２】
前記生成手段は、
ユーザ情報及び／又は製品情報を基に、設定した２次元バーコード化された鍵コードを前記会員証の分割２次元バーコードとして生成し、
公開情報と秘密情報からなる２次元バーコード化された前記原情報に対して、前記秘密情報を、前記鍵コードを用いて暗号化した前記認証ラベルの分割２次元バーコードを生成することを特徴とする請求項１記載のサーバ。
【請求項３】
前記原情報は、前記サーバの所定の製品情報提供サイトへアクセスできるＵＲＬ情報を有することを特徴とする請求項１記載のサーバ。
【請求項４】
前記会員証発行手段は、
更に、前記会員証に、ホログラム層及び／又は液晶層のセキュリティ部材を付与することを特徴とする請求項１記載のサーバ。
【請求項５】
前記認証ラベル発行手段は、
更に、前記認証ラベルに、ホログラム層及び／又は液晶層のセキュリティ部材を付与することを特徴とする請求項１記載のサーバ。
【請求項６】
ネットワークを介して、製造メーカのサーバと、接続されるユーザのバーコードリーダの機能を有する携帯型端末装置であって、
前記サーバにアクセスし、ユーザ登録を行う登録手段と、
前記サーバから発行された会員証の分割２次元バーコードと、前記サーバから購入した前記製品に貼り付けられている認証ラベルの分割２次元バーコードを読み取る読取手段と、
読み取った会員証の分割２次元バーコードと、認証ラベルの分割２次元バーコードとを合成し原情報を復元する合成手段と、
前記原情報を用いて、前記サーバにアクセスし、製品の真正性の確認、及び／又は製品情報取得を行う確認手段と、
を具備することを特徴とする携帯型端末装置。
【請求項７】
前記合成手段は、
前記会員証の分割２次元バーコードの鍵コードを用いて、前記認証ラベルの分割２次元バーコードの暗号化コードを原情報に復号化することを特徴とする請求項６記載の携帯型端末装置。
【請求項８】
前記バーコードリーダの機能を有する携帯型端末装置は、カメラ付き携帯電話、ＰＤＡ端末のいずれかであることを特徴とする請求項６記載の携帯型端末装置。
【請求項９】
ネットワークを介して接続される、ユーザのバーコードリーダの機能を有する携帯型端末装置と、製造メーカのサーバと、を備える製品認証システムであって、
前記サーバは、
前記携帯型端末装置からのユーザ登録を行うと、会員証と、出荷する製品に貼り付けられる認証ラベルと、に付与する原情報に対して、分割された分割２次元バーコードを生成する生成手段と、
生成した一方の分割２次元バーコードを前記会員証に印刷し、前記ユーザに発行する会員証発行手段と、
生成した他方の分割２次元バーコードを、出荷する製品に貼り付ける認証ラベルに印刷し、発行する認証ラベル発行手段と、
を備え、
前記携帯型端末装置は、
前記サーバにアクセスし、ユーザ登録を行う登録手段と、
前記サーバから発行された会員証の分割２次元バーコードと、前記サーバから購入した前記製品に貼り付けられている認証ラベルの分割２次元バーコードを読み取る読取手段と、
読み取った会員証の分割２次元バーコードと、認証ラベルの分割２次元バーコードとを合成した２次元バーコード情報から前記原情報を復元する合成手段と、
前記原情報を用いて、前記サーバにアクセスし、製品の真正性の確認、及び／又は製品情報取得を行う確認手段と、
を具備することを特徴とする製品認証システム。
【請求項１０】
コンピュータを請求項１から請求項５いずれかに記載のサーバとして機能させるプログラム。
【請求項１１】
コンピュータを請求項１から請求項５いずれかに記載のサーバとして機能させるプログラムを記録した記録媒体。
【請求項１２】
コンピュータを請求項６から請求項８いずれかに記載の携帯型端末装置として機能させるプログラム。
【請求項１３】
コンピュータを請求項６から請求項８いずれかに記載の携帯型端末装置として機能させるプログラムを記録した記録媒体。
【発明の詳細な説明】
【技術分野】
【０００１】
本発明は、ネットワークを介した製品認証システムに係り、特に、分割された２次元バーコードを付与した製品認証ラベルと、会員証を用いた製品認証処理に関する。
【背景技術】
【０００２】
従来、機械部品、ソフトウェア製品、ブランド品、食品、医薬品等の製品に対して、製品ラベルに固有の番号、１次元バーコード、２次元バーコード等を含む情報を記録し、製品のＩＤ認証に用いることが実施され、また、記録された情報内容について改竄・悪用から保護することが実施されてきた（例えば、特許文献１）。
また、同一券面に２分割した２次元バーコード（ＱＲコード）を印刷することにより、偽造が困難な情報記録を行い、かつ、偽造されたか否かを簡単に判定できるようにする情報コード印刷媒体及びその偽造判定方法が存在する（例えば、特許文献２）。
【０００３】
一方、製品の真正性が問われる分野においては、製品自体や包材の一部に、ホログラムや色彩可変材料等の光学可変機能を持った媒体をラベル・転写等の形で貼付し、真贋判別に利用することが実施されていた（例えば、特許文献３）。
【０００４】
【特許文献１】特開２００２−１９３４０５号公報
【特許文献２】特開２００１−２６１７６号公報
【特許文献３】特開２００３−３３０３５１号公報
【発明の開示】
【発明が解決しようとする課題】
【０００５】
しかしながら、実際に製品認証が行われる場面において、製品ラベルに記録された情報の保護と、製品の真正性保護とは、別個の枠組みで取り扱われており、媒体自体の真正性保護と記録された情報の保護が同時に実現され、流通・消費過程で簡便に利用できる仕組みではなかった。
また、特許文献２に記載されている情報コード印刷媒体及びその偽造判定方法においては、偽造判定作業の煩わしさを改善しているが、（１）カメラ付き携帯電話などにより、簡単に情報を取得できてしまう。（２）ステルス印刷を行い、特殊センサを用いることで偽造防止を図っているが、リーダーが専用になるため、初期投資の負荷が大きいという、課題があった。
【０００６】
本発明は、以上の点に鑑みてなされたものであり、流通・消費過程で簡便に確実に製品の真正性を認証し、製品情報を入手できる製品認証システム等を提供することを目的とする。
【課題を解決するための手段】
【０００７】
前述した目的を達成するために第１の発明は、ネットワークを介して、ユーザのバーコードリーダの機能を有する携帯型端末装置と接続される製造メーカのサーバであって、前記携帯型端末装置からのユーザ登録を行うと、会員証と、出荷する製品に貼り付けられる認証ラベルと、に付与する原情報に対して、分割された分割２次元バーコードを生成する生成手段と、生成した一方の分割２次元バーコードを会員証に印刷し、前記ユーザに発行する会員証発行手段と、生成した他方の分割２次元バーコードを、出荷する製品に貼り付ける認証ラベルに印刷し、発行する認証ラベル発行手段と、を具備することを特徴とするサーバである。
【０００８】
また、前記生成手段は、ユーザ情報及び／又は製品情報を基に設定した２次元バーコード化された鍵コードを前記会員証の分割２次元バーコードとして生成し、公開情報と秘密情報からなる２次元バーコード化された前記原情報に対して、前記秘密情報を、前記鍵コードを用いて暗号化した前記認証ラベルの分割２次元バーコードを生成することが望ましい。
また、前記会員証発行手段は、更に、前記会員証に、ホログラム層及び／又は液晶層のセキュリティ部材を付与することが望ましい。
また、前記認証ラベル発行手段は、更に、前記認証ラベルに、ホログラム層及び／又は液晶層のセキュリティ部材を付与することが望ましい。
【０００９】
第１の発明によるサーバは、ネットワークを介して、ユーザのバーコードリーダの機能を有する携帯型端末装置と接続され、携帯型端末装置からのユーザ登録を行うと、会員証と、出荷する製品に貼り付けられる認証ラベルと、に付与する原情報に対して、分割された分割２次元バーコードを生成し、一方の分割２次元バーコードを会員証に印刷し、ユーザに発行し、他方の分割２次元バーコードを、出荷する製品に貼り付ける認証ラベルに印刷し、発行する。
【００１０】
「原情報」は、「公開情報」と「秘密情報」からなる２次元バーコードであり、「公開情報」は、バーコードリーダ機能により、権限なしにより誰にでも読み取れる情報であり、例えば、製品認証ラベルにおける製品名称等であり、「秘密情報」は、会員証の分割２次元バーコードである鍵コードを所有する者だけが解読できる情報であり、例えば、当該製品の認証確認となるサーバ側のユーザ専用サイトのＵＲＬ情報である。
「分割２次元バーコード」は、２次元バーコードである原情報を、鍵コードと、鍵コードを用いた暗号化した暗号化コードに分割されたものであり、双方を所有することにより、原情報を解読できる。
「鍵コード」は、復号化する鍵コード（２次元バーコード）である。
「携帯型端末装置」は、携帯電話やＰＤＡ（Ｐｅｒｓｏｎａｌ Ｄｉｇｉｔａｌ Ａｓｓｉｓｔａｎｃｅ）等であり、本発明で用いるバーコードリーダ機能を有する携帯型端末装置は、例えば、カメラ付き携帯電話である。
【００１１】
第１の発明では、２次元バーコードを分割し、消費者が会員証の形で一方の２次元バーコードを所持することで、製品ラベルの２次元バーコードが改竄されても、それだけでは意味を成さない為、偽造防止に対して高い効果を発揮する。製品自体の真正性が保たれると共に、記録された情報内容についても改竄・悪用から保護することができ、流通・消費過程において、消費者が簡便かつ確実に製品の真正性を認証し、製品情報を入手・利用することができ、作業効率も大幅に改善できる。
【００１２】
また、第２の発明は、ネットワークを介して、製造メーカのサーバと、接続されるユーザのバーコードリーダの機能を有する携帯型端末装置であって、前記サーバにアクセスし、ユーザ登録を行う登録手段と、前記サーバから発行された会員証の分割２次元バーコードと、前記サーバから購入した前記製品に貼り付けられている認証ラベルの分割２次元バーコードを読み取る読取手段と、読み取った会員証の分割２次元バーコードと、認証ラベルの分割２次元バーコードとを合成し原情報を復元する合成手段と、前記原情報を用いて、前記サーバにアクセスし、製品の真正性の確認、及び／又は製品情報取得を行う確認手段と、を具備することを特徴とする携帯型端末装置である。
【００１３】
第２の発明による携帯型端末装置は、ネットワークを介して、製造メーカのサーバと接続され、サーバにアクセスし、ユーザ登録を行い、サーバから発行された会員証の分割２次元バーコードと、サーバから購入した製品に貼り付けられている認証ラベルの分割２次元バーコードを読み取る読取手段と、読み取った会員証の分割2次元バーコードと、認証ラベルの分割2次元バーコードとを合成し原情報を復元し、原情報を用いて、サーバにアクセスし、製品の真正性の確認、及び／又は製品情報取得を行う。
【００１４】
また、第３の発明は、ネットワークを介して接続される、ユーザのバーコードリーダの機能を有する携帯型端末装置と、製造メーカのサーバと、を備える製品認証システムであって、前記サーバは、前記携帯型端末装置からのユーザ登録を行うと、会員証と、出荷する製品に貼り付けられる認証ラベルと、に付与する原情報に対して、分割された分割２次元バーコードを生成する生成手段と、生成した一方の分割２次元バーコードを会員証に印刷し、前記ユーザに発行する会員証発行手段と、生成した他方の分割２次元バーコードを、出荷する製品に貼り付ける認証ラベルに印刷し、発行する認証ラベル発行手段と、を備え、前記携帯型端末装置は、前記サーバにアクセスし、ユーザ登録を行う登録手段と、前記サーバから発行された会員証の分割２次元バーコードと、前記サーバから購入した前記製品に貼り付けられている認証ラベルの分割２次元バーコードを読み取る読取手段と、読み取った会員証の分割２次元バーコードと、認証ラベルの分割２次元バーコードとを合成した２次元バーコード情報から前記原情報を復元する合成手段と、前記原情報を用いて、前記サーバにアクセスし、製品の真正性の確認、及び／又は製品情報取得を行う確認手段と、を具備することを特徴とする製品認証システムである。
【００１５】
第３の発明は、第１の発明のサーバ、第２の発明の携帯型端末装置から構成される製品認証システムに関する発明である。
【００１６】
第４の発明は、コンピュータを第１発明のサーバとして機能させるプログラムである。
第５の発明は、コンピュータを第１の発明のサーバとして機能させるプログラムを記録した記録媒体である。
【００１７】
第６の発明は、コンピュータを第２の発明の携帯型端末装置として機能させるプログラムである。
第７の発明は、コンピュータを第２の発明の携帯型端末装置として機能させるプログラムを記録した記録媒体である。
【００１８】
上述のプログラムをＣＤ−ＲＯＭ等の記録媒体に保持させて流通させてもよいし、このプログラムを通信回線を介して送受することもできる。
【発明の効果】
【００１９】
本発明は、以上の点に鑑みてなされたものであり、流通・消費過程で簡便に確実に製品の真正性を認証し、製品情報を入手できる製品認証システム等を提供することができる。
【発明を実施するための最良の形態】
【００２０】
以下に、添付図面を参照しながら、本発明に係る製品認証システム等の好適な実施形態について詳細に説明する。尚、以下の説明および添付図面において、略同一の機能構成を有する構成要素については、同一の符号を付することにより重複説明を省略することにする。
【００２１】
図１は、本実施の形態に係る製品認証システム１００の概略構成を示す図である。図１は、製品認証システム１００の１例であり、図１に示すように、製品認証システム１００は、製造メーカ１０２が有するサーバ１０１、複数の消費者（ユーザ）１０４の携帯型端末装置１０３、ネットワーク１０９等からなる。製品認証システム１００は、例えばインターネットなどのネットワーク１０９を介して、サーバ１０１と、携帯型端末装置１０３とが接続されて構成される。
【００２２】
製造メーカ１０２は、機械部品、ソフトウェア製品、ブランド品、食品、医薬品等の製品２０を製造、出荷する企業であり、サーバ１０１を有する。サーバ１０１は、サーバとしてのサーバコンピュータ等であり、顧客データベース３０１、製品情報データベース３０２、プリンタ１０５等を有する。
【００２３】
サーバ１０１は、携帯型端末装置１０３からのユーザ登録を行い、そのユーザ情報を基に、会員証１０と、製品２０に貼り付ける製品認証ラベル１１に、付与する原情報に対して分割された分割２次元バーコード１５−Ａ、１５−Ｂを生成し、会員証１０に一方の分割２次元バーコード１５−Ａを印刷し、製品認証ラベル１１に他方の分割２次元バーコード１５−Ｂを印刷し、更に、真贋判別・偽造防止（セキュリティ）として、ホログラム又は液晶等の光学可変機能を有する媒体をラベル・転写等のいずれかの形で貼付する。顧客データベース３０１には、顧客情報が保存されている。製品情報データベース３０２には、製品２０に関わる各種情報が保存されている。
【００２４】
尚、本実施の形態では、２次元バーコードとして、マトリックス状の２次元バーコードのＱＲコードを用いて説明するが、これに限るわけでない。その他に、ＰＤＦ４１７、ＤａｔａＭａｔｒｉｘ、ＭａｘｉＣｏｄｅ等がある。
【００２５】
消費者（ユーザ）１０４は、製品２０の消費者であり、携帯型端末装置１０３を有する。携帯型端末装置１０３は、例えば、カメラ付き携帯電話、ＰＤＡ（Ｐｅｒｓｏｎａｌ
Ｄｉｇｉｔａｌ Ａｓｓｉｓｔａｎｃｅ）等のバーコードリーダの機能を有する携帯型端末装置であり、カメラを用いて、読み取った会員証１０、及び製品認証ラベル１１の分割２次元バーコード１５−Ａ、１５−Ｂを合成した２次元バーコード情報から原情報を復元し、製品２０の真正性の認証、製品詳細情報の入手を行う。
【００２６】
次に、サーバ１０１のハードウェア構成を説明する。図２は、サーバ１０１のハードウェア構成図である。
【００２７】
図２に示すように、サーバ１０１は、制御部２０１、記憶部２０２（ハードディスク）、メディア入出力部２０３（ドライブ装置）、通信制御部２０４（通信制御装置、通信ポート等）、入力部２０５（キーボード、マウス等）、プリンタポート２０６、表示部２０７（ディスプレイ）等が、バス２０９を介して接続される。
【００２８】
制御部２０１は、ＣＰＵ（Ｃｅｎｔｒａｌ  Ｐｒｏｃｅｓｓｉｎｇ  Ｕｎｉｔ  ）、ＲＯＭ（Ｒｅａｄ  Ｏｎｌｙ  Ｍｅｍｏｒｙ  ）、ＲＡＭ（Ｒａｎｄｏｍ  Ａｃｃｅｓｓ  Ｍｅｍｏｒｙ）等で構成される。
【００２９】
ＣＰＵは、記憶部２０２、ＲＯＭ、記録媒体等に格納されるプログラムをＲＡＭ上のワークメモリ領域に呼び出して実行し、システムバス２０９を介して接続された各装置を駆動制御し、サーバ１０１が行う後述する各種処理（図８、図９、図１０、図１１、図１２参照）を実現する。
ＲＯＭは、不揮発性メモリであり、コンピュータのブートプログラムやＢＩＯＳ等のプログラム、データ等を恒久的に保持している。
ＲＡＭは、揮発性メモリであり、記憶部２０２、ＲＯＭ、記録媒体等からロードしたプログラム、データ等を一時的に保持するとともに、制御部２０１が各種処理を行う為に使用するワークエリアを備える。
【００３０】
記憶部２０２は、ＨＤＤ（ハードディスクドライブ）であり、制御部２０１が実行するプログラム、プログラム実行に必要なデータ、ＯＳ（オペレーティングシステム）等が格納される。プログラムに関しては、ＯＳ（オペレーティングシステム）に相当する制御プログラム３９１や、本コンピュータを適用するプリンタサーバ１０１が行う後述の処理に相当するアプリケーションプログラム３９２等が格納されている。
これらの各プログラムコードは、制御部２０１により必要に応じて読み出されてＲＡＭに移され、ＣＰＵに読み出されて各種の手段として実行される。
【００３１】
メディア入出力部２０３（ドライブ装置）は、データの入出力を行い、例えば、フロッピディスクドライブ、ＰＤドライブ、ＣＤドライブ（−ＲＯＭ、−Ｒ、−ＲＷ等）、ＤＶＤドライブ（−ＲＯＭ、−Ｒ、−ＲＷ等）、ＭＯドライブ等のメディア入出力装置等を有する。
【００３２】
通信制御部２０４は、通信制御装置、通信ポート等を有し、サーバ１０１とネットワーク１０９間の通信を媒介する通信インタフェースであり、ネットワーク１０９を介して、サーバ１０１と、携帯型端末装置１０３間の通信制御を行う。
【００３３】
入力部２０５は、データの入力を行い、例えば、キーボード、マウス等のポインティングデバイス、テンキー等の入力装置を有する。
【００３４】
プリンタポート２０６、プリンタ１０５からの接続ケーブル２１０（ＵＳＢケーブル等）を接続するためのポートである。
プリンタ１０５は、感熱印字、感熱破壊、感熱発色、リトライ印字、レーザ破壊、レーザ発色のいずれかの方法で印画する装置であり、また、セキュリティとしてホログラム又は液晶等の光学可変機能を有する媒体をラベル・転写等のいずれかの形で貼付する。プリンタ１０５は、例えば、サーマルプリンタ（感熱記録装置）である。
【００３５】
表示部２０７は、ＣＲＴモニタ、液晶パネル等のディスプレイ装置、ディスプレイ装置と連携してコンピュータのビデオ機能を実現するための論理回路等（ビデオアダプタ等）を有する。
【００３６】
システムバス２０９は、各装置間の制御信号、データ信号等の授受を媒介する経路である。
【００３７】
次に、図３を参照しながら、サーバ１０１の記憶部２０２が保持する情報について説明する。図３は、記憶部２０２が保持する情報を示す図である。
【００３８】
図３に示すように、記憶装置２０２内には、顧客データベース３０１、製品情報データベース３０２、及び制御プログラム３２１、アプリケーションプログラム３２２等が格納されている。
【００３９】
顧客データベース３０１は、複数の顧客情報３１１からなる。顧客情報３１１には、ユーザ登録時に受け取った消費者１０４（ユーザ）毎のユーザ情報（氏名、住所、電話番号、メールアドレス等）、生成した会員証の分割２次元バーコード、及び顧客ＩＤを含む。
尚、本実施の形態では、生成した会員証の分割２次元バーコード１５−Ａを消費者（ユーザ）１０４毎に設定、生成し、顧客データベース３０１の顧客情報３１１に記憶するが、これに限るわけではない。分割２次元バーコード１５−Ａを製品２０毎、或いは製造メーカ１０２毎に設定、生成し、製品情報データベース３０２に記憶してもよい。
【００４０】
製品情報データベース３０２は、複数の製品情報３１２からなる。製品情報３１２は、製品認証ラベル１１に記録する製品に関わる各種情報を製品毎に保存し、製品固有番号、製品関連情報等を含む。
製品固有番号は、製品固有のＩＤであり、例えば製造番号である。製品関連情報は、提供する製品の詳細情報や、製品のホームページ（ＨＰ）であるサーバ１０１の所定サイトへのＵＲＬ情報等である。
尚、顧客データベース３０１、製品情報データベース３０２のデータ構成は、この構成に限られるわけではない。
【００４１】
制御プログラム３２１は、サーバ１０１であるコンピュータの各構成部分を駆動制御するプログラムである。
アプリケーションプログラム３２２は、製品認証プログラム、暗号化プログラム等の実行可能プログラムであり、製品認証プログラムは、ユーザ登録手段１１１、分割２次元バーコード生成手段１１２、会員証発行手段１１３、製品認証ラベル発行手段１１４、製品情報提供手段１１５等の処理に該当するプログラムである（後述、各処理手段を説明する）。
【００４２】
次に、携帯型端末装置１０３のハードウェア構成を説明する。図４は、携帯型端末装置１０３のハードウェア構成図である。
図４に示すように、消費者１０４の携帯型端末装置１０３は、例えば、カメラ付き携帯電話であり、制御部４０１、記憶部４０２、カメラ４０３、送受信部４０４、入力部４０５、表示部４０６、送受話部４０７、アンテナ４１０等が接続される。
【００４３】
制御部４０１は、ＣＰＵ、ＲＯＭ、ＲＡＭ等で構成され、記憶装置４０２に格納されたプログラムに従って、各装置を駆動制御する。
【００４４】
記憶部４０２には、各構成部分を駆動制御する制御プログラム、アプリケーションプログラムとして、製品認証リーダプログラムが格納されている。製品認証リーダプログラムは、ユーザ情報入力手段１２１、分割２次元バーコード読取手段１２２、分割２次元バーコード合成手段１２３、製品認証手段１２４等の処理に該当するプログラムである（後述、各処理手段を説明する）。
【００４５】
これらの各プログラムコードは、制御部４０１により必要に応じて読み出されてＲＡＭに移され、ＣＰＵに読み出されて各種の手段として実行される。
【００４６】
カメラ４０３は、バーコードリーダ機能を有し、会員証１０、及び製品認証ラベル１１の分割２次元バーコード１５を読み取る。
送受信部４０４は、携帯型端末装置１０３とネットワーク１０９間の通信を媒介する通信インタフェースであり、ネットワーク１０９を介して、携帯型端末装置１０３と、サーバ１０１間の通信制御を行う。
入力部４０５は、データの入力を行い、例えば、操作キー、操作ボタン等であり、表示部４０６（ディスプレイ）に表示された操作案内、各種処理、操作を行う。
【００４７】
次に、会員証１０について説明する。図５は、会員証１０とその断面を示す図である。
【００４８】
図５に示すように、会員証１０は、印字文字１２、セキュリティ部材１３、分割２次元バーコード１５−Ａ等からなる。
印字文字１２は、登録された顧客情報３１１を基に、例えば、氏名、登録番号、有効期限等である。セキュリティ部材１３は、ホログラム及び／又はコレステリック液晶（ＣＬＣ）等の光学可変機能を有する媒体、ストライプ転写のいずれかであり、真贋判別・偽造防止として、ホログラム又はコレステリック液晶等の光学可変機能を有する媒体をラベル・転写等のいずれかの形で貼付する。分割２次元バーコード１５−Ａは、原情報が分割された一方の２次元バーコードであり、顧客情報（ユーザ情報）に基づく、鍵コードである。
また、会員証１０の材質には、紙形態、カード形態（ＰＥＴ、ＰＶＣ）等があり、例えば、紙形態として、会員証の断面図５１に示すように、紙基材１７（上質紙、ＯＣＲなど）上に、セキュリティ部材１３を付与し、分割２次元バーコード１５−Ａ、印字文字１２等の印字層１６を有し、ラミネートフィルム１４をラミネートとする。
【００４９】
次に、製品２０に貼付される製品認証ラベル１１について説明する。図６は、製品認証ラベル１１とその断面を示す図である。
【００５０】
図６に示すように、製品認証ラベル１１は、印字文字１２、セキュリティ部材１３、分割２次元バーコード１５−Ｂ等からなる。
印字文字１２は、製品２０の製品情報３１２を基にした、製品２０の関連した情報（製造番号、使用期限等）である。セキュリティ部材１３は、ホログラム及び／又はコレステリック液晶（ＣＬＣ）等の光学可変機能を有する媒体、ストライプ転写のいずれかであり、真贋判別・偽造防止として、ホログラム又はコレステリック液晶等の光学可変機能を有する媒体をラベル・転写等のいずれかの形で貼付する。分割２次元バーコード１５−Ｂは、原情報が分割された他方の２次元バーコードであり、分割２次元バーコード１５−Ａの鍵コードを用いて原情報を暗号化した暗号化コードである。
また、製品認証ラベル１１の断面図６１に示すように、製品認証ラベル１１は、離けい紙１９上に粘着層１８を付与した紙基材１７を設け、紙基材１７上にセキュリティ部材１３を、印字層１６を有する。
【００５１】
次に、分割２次元バーコード１５−Ａ、１５−Ｂについて説明する。図７は、分割２次元バーコード１５−Ａ、１５−Ｂについて示す図である。
図７に示すように、２次元バーコード化された原情報２１は、会員証１０の分割２次元バーコード１５−Ａと、製品認証ラベル１１の分割２次元バーコード１５−Ｂに分割され、双方を所有するものだけが原情報を解読可能となる。分割２次元バーコード１５−Ａは鍵コードであり、分割２次元バーコード１５−Ｂは、公開情報と、鍵コードで暗号化した秘密情報を有する。
【００５２】
次に、図８を参照しながら、製品認証システム１００全体の処理の流れと処理手段について説明する。図８は、製品認証システム１００全体の処理の流れと処理手段を示す図である。
【００５３】
製造メーカ１０２のサーバ１０１は、ユーザ登録手段１１１、分割２次元バーコード生成手段１１２、会員証発行手段１１３、製品認証ラベル発行手段１１４、製品情報提供手段１１５等を有する。
【００５４】
ユーザ登録手段１１１は、消費者１０４の携帯型端末装置１０３からのユーザ情報３０を顧客情報３１１として顧客データベース３０１に登録、保持する。
分割２次元バーコード生成手段１１２は、登録したユーザ情報３０を基に、会員証１０と、出荷する製品に貼り付けられる製品認証ラベル１１と、に付与する原情報に対して、分割された分割２次元バーコード１５−Ａ、１５−Ｂを生成する。会員証発行手段１１３は、生成した分割２次元バーコード１５−Ａ（鍵コード）、ユーザ情報等の印刷用データをプリンタ１０５に送り、会員証１０に印刷し、消費者１０４に発行する。
製品認証ラベル発行手段１１４は、生成した分割２次元バーコード１５−Ｂ（公開情報＋暗号化コード）、製品情報等の印刷用データをプリンタ１０５に送り、製品認証ラベル１０に印刷、発行する。製品２０は、製品認証ラベル１０を貼付され、出荷される。
製品情報提供手段１１５は、消費者１０４の携帯型端末装置１０３からの認証結果の原情報による要求に応じて、製品２０の真正性確認、詳細情報の提供等を行う。
【００５５】
消費者１０４の携帯型端末装置１０３は、ユーザ情報入力手段１２１、分割２次元バーコード読取手段１２２、分割２次元バーコード合成手段１２３、製品認証手段１２４等を有する。
【００５６】
ユーザ情報入力手段１２０は、サーバ１０１に対してアクセスし、入力したユーザ情報３０を送信し、ユーザ登録を行う。分割２次元バーコード読取手段１２２は、カメラ４０３を用いて、会員証１０の分割２次元バーコード１５−Ａと、出荷された製品２０の製品認証ラベル１１の分割２次元バーコード１５−Ｂを読み取る。
分割２次元バーコード合成手段１２３は、読み取った会員証１０の分割２次元バーコード１５−Ａと、製品認証ラベル１１の分割２次元バーコード１５−Ｂを合成（復号化）し原情報を復元する。
製品認証手段１２４は、復元した原情報であるＵＲＬ情報３１により、サーバ１０１の所定のサイトにアクセスし、製品２０の真正性確認や、製品の詳細情報等の製品関連情報３２の閲覧を行う。
【００５７】
次に、サーバ１０１における、ユーザ登録、分割２次元バーコード生成、会員証発行、製品認証ラベル発行等の処理手順について詳しく説明する。図９は、サーバ１０１のユーザ登録、分割２次元バーコード生成、会員証発行等の処理手順を示すフローチャートである。図１０は、サーバ１０１の製品認証ラベル発行の処理手順を示すフローチャートである。
【００５８】
サーバ１０１の記憶部２０２には、ユーザ登録手段１１１、分割２次元バーコード生成手段１１２、会員証発行手段１１３、製品認証ラベル発行手段１１４、製品情報提供手段１１５等に該当する製品認証プログラムの実行可能プログラムが格納されている。以下のサーバ１０１の処理は、この実行可能プログラムの制御に従って、サーバ１０１の制御部２０１によって行われる。
また、携帯型端末装置１０３の記憶部４０２には、製品認証リーダプログラムの実行可能プログラムが格納されている。以下の携帯型端末装置１０３の処理は、この実行可能プログラムの制御に従って、携帯型端末装置１０３の制御部４０１によって行われる。
【００５９】
図９に示すように、携帯型端末装置１０３の制御部４０１は、サーバ１０１にアクセスし、ユーザ登録要求を行い、入力したユーザ情報３０をサーバ１０１に送信する（ステップＳ９０１）。
サーバ１０１の制御部２０１は、携帯型端末装置１０３からのユーザ情報３０を、顧客情報３１１として顧客データベース３０１に登録、保持する（ステップＳ９０２）。顧客情報３１１は、顧客ＩＤ、氏名、住所、電話番号、メールアドレス等を含む。
【００６０】
サーバ１０１の制御部２０１は、登録した顧客情報３１１を基に、会員証１０に付与する、分割される一方の分割２次元バーコード１５−Ａを生成し、顧客データベース３０１に保持する（ステップＳ９０３）。分割２次元バーコード１５−Ａは、顧客情報３１１を基に、設定した２次元バーコード化した鍵コードである。
【００６１】
制御部２０１は、会員証１０の発行処理として、生成した分割２次元バーコード１５−Ａ、及び顧客名、有効期限等の顧客情報の印字データをプリンタ１０５に送り、プリンタ１０５は、受け取った印刷用データを会員証１０に印刷し、更に、真贋判別・偽造防止として、ホログラム又は液晶等の光学可変機能を有するセキュリティ部材をラベル・転写等のいずれかの形で貼付する（ステップＳ９０４）。発行した会員証１０を登録した消費者（ユーザ）１０４に送付する（ステップＳ９０５）。
消費者（ユーザ）１０４は、会員証１０を受け取る（ステップＳ９０６）。
【００６２】
図１０に示すように、製品出荷時、サーバ１０１の制御部２０１は、出荷する製品２０に貼り付ける製品認証ラベル１１の分割２次元バーコード１５−Ｂに対応する鍵コードである分割２次元バーコード１５−Ａを記憶部２０２より取得する（ステップＳ１００１）。
【００６３】
制御部２０１は、公開情報と秘密情報からなる原情報を２次元バーコード化し、秘密情報に対して分割２次元バーコード１５−Ａである鍵コードとして作用させて暗号化し、分割２次元バーコード１５−Ｂを生成する（ステップＳ１００２）。公開情報は、誰でも読み取ることが可能である情報であり、例えば、当該製品２０の製品名称、製造メーカ名等である。秘密情報は、会員証１０の分割２次元バーコード１５−Ａである鍵コードを所有する者だけが解読できる情報であり、例えば、当該製品２０の認証確認となるサーバ１０１側のユーザ専用サイトのＵＲＬ情報である。
【００６４】
制御部２０１は、製品認証ラベル１１の発行処理として、生成した分割２次元バーコード１５−Ｂ、製造番号等の印字データをプリンタ１０５に送り、プリンタ１０５は、受け取った印刷用データを製品認証ラベル１１に印刷し、更に、真贋判別・偽造防止として、ホログラム又は液晶等の光学可変機能を有するセキュリティ部材をラベル・転写等のいずれかの形で貼付する（ステップＳ１００３）。
製品２０に、発行した製品認証ラベル１１を貼り付け、出荷する（ステップＳ１００４）。
【００６５】
尚、分割２次元バーコード１５−Ａ、１５−Ｂの生成方法については、本発明で規定するところではないが、例えば、国際公開ＷＯ−２００４−０９０８０４Ａ１には、２次元バーコードをモザイク状の画像データとして捉え、分割されたバーコードは、伝達文（原文に鍵文を作用させて暗号化した画像）と鍵画像に分けて生成し、双方を取得することにより解読可能とする２次元バーコード生成装置、２次元バーコード解読装置が示されている。
【００６６】
次に、図１１、図１２、図１３を参照しながら、消費者１０４の携帯型端末装置１０３における、分割２次元バーコード読取、分割２次元バーコード合成、製品認証の処理手順について詳しく説明する。図１１、図１２は、携帯型端末装置１０３の分割２次元バーコード読取、合成、製品認証の処理手順を示すフローチャートである。図１３は、携帯型端末装置１０３における、分割２次元バーコード読取、合成、製品認証の画面遷移を示す図である。
【００６７】
携帯型端末装置１０３の記憶部４０２には、製品認証リーダプログラムの実行可能プログラムが格納されている。以下の携帯型端末装置１０３の処理は、この実行可能プログラムの制御に従って、携帯型端末装置１０３の制御部４０１によって行われる。
サーバ１０１の記憶部２０２には、製品情報提供手段１１５に該当する製品認証プログラムの実行可能プログラムが格納されている。以下のサーバ１０１の処理は、この実行可能プログラムの制御に従って、サーバ１０１の制御部２０１によって行われる。
【００６８】
製品２０を購入すると（ステップＳ１１０１）、携帯型端末装置１０３の制御部４０１は、製品認証リーダプログラムを起動し（ステップＳ１１０２）、カメラ４０３を用いて、製品２０の製品認証ラベル１１の分割２次元バーコード１５−Ｂを読み取る（ステップＳ１１０３）。制御部４０１は、例えば、表示部４０６に２次元バーコード（製品認証ラベル）読取画面４１を表示する。
【００６９】
制御部４０１は、読み取った分割２次元バーコード１５−Ｂの公開情報を表示する（ステップＳ１１０４）。制御部４０１は、例えば、表示部４０６に製品２０の製品名称からなる読取結果画面４２を表示する。
【００７０】
制御部４０１は、カメラ４０３を用いて、会員証１０の分割２次元バーコード１５−Ａを読み取る（ステップＳ１１０５）。制御部４０１は、表示部４０６に２次元バーコード（会員証）読取画面４３を表示する。
制御部４０１は、読取結果を表示する（ステップＳ１１０６）。制御部４０１は、例えば、ユーザの登録ＩＤを読み取った旨の読取結果画面４４を表示する。
【００７１】
制御部４０１は、読み取った分割２次元バーコード１５−Ａ、１５−Ｂを合成し、原情報に復元する（ステップＳ１１０７）。即ち、制御部４０１は、鍵コードである分割２次元バーコード１５−Ａを用いて、分割２次元バーコード１５−Ｂの暗号化コードを原情報の秘密情報に復号化する。制御部４０１は、例えば、２次元バーコード合成中の旨の２次元バーコード合成画面４５を表示する。
【００７２】
制御部４０１は、復元した原情報の秘密情報である認証結果を表示する（ステップＳ１１０８）。制御部４０１は、例えば、認証結果として、ユーザ専用の製品情報サイトのＵＲＬ情報からなる認証結果画面４６を表示する。
制御部４０１は、認証結果のＵＲＬ情報を用いて、サーバ１０１にアクセスする（ステップＳ１１０９）。
【００７３】
サーバ１０１の制御部２０１は、製品の各種関連情報を閲覧可能とする照合メニュ画面データを送信する（ステップＳ１１１０）。
携帯型端末装置１０３の制御部４０１は、照合メニュ画面４７を表示する（ステップＳ１１１１）。照合メニュ画面４７は、例えば、真正品情報５１、関連情報５２、問い合わせ先情報５３等のメニュからなる。
【００７４】
制御部４０１は、選択されたメニュをサーバ１０１に送信し（ステップＳ１１１２）、サーバ１０１の制御部２０１は、選択されたメニュに応じて、製品情報データベース３０２から当該製品２０に関わる各種情報を取得し、送信する（ステップＳ１１１３）。
【００７５】
制御部４０１は、受け取った情報を表示し、製品２０の真正性の確認、製品情報閲覧等を行う（ステップ１１１４）。例えば、購入した製品２０の製品名称、製造番号、使用期限等からなる真正品情報５１、新製品情報、サービス情報等からなる関連情報５２、製品２０に関する問い合わせ情報５３等を表示し、確認する。
【００７６】
以上説明したように、本発明の実施の形態によれば、製造メーカ１０２のサーバ１０１は、消費者１０４の携帯型端末装置１０３からのユーザ情報３０を顧客データベース３０１に登録、保持するユーザ登録手段１１１と、登録したユーザ情報３０を基に、会員証１０と、出荷する製品に貼り付けられる製品認証ラベル１１と、に付与する原情報に対して、分割された分割２次元バーコード１５−Ａ、１５−Ｂを生成する分割２次元バーコード生成手段１１２と、生成した分割２次元バーコード１５−Ａ（鍵コード）、ユーザ情報等の印刷用データをプリンタ１０５に送り、会員証１０に印刷し、消費者１０４に発行する会員証発行手段１１３と、生成した分割２次元バーコード１５−Ｂ（公開情報＋暗号化コード）、製品情報等の印刷用データをプリンタ１０５に送り、製品認証ラベル１０に印刷、発行する製品認証ラベル発行手段１１４と、消費者１０４の携帯型端末装置１０３からの認証結果の情報から要求に応じて、製品２０の真正性確認、詳細情報の提供等を行う製品情報提供手段１１５と、を備え、携帯型端末装置１０３は、入力したユーザ情報３０をサーバ１０１に送信し、ユーザ登録を行うユーザ情報入力手段１２０と、カメラ４０３を用いて、会員証１０の分割２次元バーコード１５−Ａと、購入した製品２０の製品認証ラベル１１の分割２次元バーコード１５−Ｂを読み取る分割２次元バーコード読取手段１２２と、読み取った会員証１０の分割２次元バーコード１５−Ａと、製品認証ラベル１１の分割２次元バーコード１５−Ｂを合成（復号化）した２次元バーコード情報から原情報を復元する分割２次元バーコード合成手段１２３と、復元した認証結果であるＵＲＬ情報により、サーバ１０１の所定のサイトにアクセスし、製品２０の真正性確認や、製品の詳細情報の閲覧を行う製品認証手段１２４と、を備え、製品２０の模倣防止、製品の真正性確認を行う。
【００７７】
これにより、２次元バーコードを分割し、消費者が会員証の形で一方の２次元バーコードを所持することで、製品ラベルの２次元バーコードが改竄されても、それだけでは意味を成さない為、偽造防止に対して高い効果を発揮する。製品自体の真正性が保たれると共に、記録された情報内容についても改竄・悪用から保護することができ、流通・消費過程において、消費者が簡便かつ確実に製品の真正性を認証し、製品情報を入手・利用することができ、作業効率も大幅に改善できる。
高いセキュリティ性を有し、分割２次元バーコードを付与している為、関係者以外に内容を知られない秘読性の高い２次元バーコードを付与した会員証、及び製品認証ラベルを提供できる。
コレステリック液晶（ＣＬＣ）の光学可変機能を有する媒体を付与していることにより、目視では色彩可変効果を、また偏光性を有する判別フィルムにより、確実な識別可能な高いセキュリティ性を有する媒体を提供できる。
【００７８】
尚、本実施の形態では、消費者（ユーザ）１０４毎に、鍵コードである会員証の分割２次元バーコード１５−Ａ（例えば、登録ＩＤ）を設定、生成したが、これに限るわけではない。運用形態、流通形態等に応じて、製品２０毎、或いは製造メーカ１０２毎に、鍵コードである会員証の分割２次元バーコード１５−Ａを設定、生成してもよい。
【００７９】
また、本実施の形態では、サーバ１０１と消費者１０４の携帯型端末装置１０３との間で会員証及び製品認証ラベルを用いて製品認証を行ったが、これに限るわけではない。例えば、販売店の携帯型端末装置１０３が、発行された登録証と、製品認証ラベルにより製品認証を行ってもよい。
【００８０】
更に、販売店側の携帯型端末装置１０３で製品認証を行い、消費者の携帯型端末装置で製品認証を行うことも可能であり、その際は、消費者が所有する会員証の鍵コードと、販売店が所有する登録証の鍵コード等、複数の鍵コードを配布し、誰でも読める情報、消費者しか読めない情報、販売店しか読めない情報等と、多様な情報を製品認証ラベルに記録し、流通・消費過程で、様々な製品の真正性を認証し、製品情報を入手・利用することを可能とする。
【００８１】
また、本実施の形態では、公開情報と秘密情報からなる原情報を用いて説明したが、秘密情報からなる原情報に対して、分割２次元バーコードを生成してもよい。
【００８２】
尚、図８、図９、図１０、図１１、図１２等に示す処理を行うプログラムはＣＤ−ＲＯＭ等の記録媒体に保持させて流通させてもよいし、このプログラムを通信回線を介して送受することもできる。
【００８３】
以上、添付図面を参照しながら、本発明に係る製品認証システム等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００８４】
【図１】本発明の本実施の形態に係る製品認証システム１００の概略構成を示す図
【図２】サーバ１０１のハードウェア構成図
【図３】記憶部２０２が保持する情報を示す図
【図４】携帯型端末装置１０３のハードウェア構成図
【図５】会員証１０とその断面を示す図
【図６】製品認証ラベル１１とその断面を示す図
【図７】分割２次元バーコード１５−Ａ、１５−Ｂについて示す図
【図８】製品認証システム１００全体の処理の流れと処理手段を示す図
【図９】サーバ１０１のユーザ登録、分割２次元バーコード生成、会員証発行等の処理手順を示すフローチャート
【図１０】サーバ１０１の製品認証ラベル発行の処理手順を示すフローチャート
【図１１】携帯型端末装置１０３の分割２次元バーコード読取、合成、製品認証の処理手順を示すフローチャート
【図１２】携帯型端末装置１０３の分割２次元バーコード読取、合成、製品認証の処理手順を示すフローチャート
【図１３】携帯型端末装置１０３の分割２次元バーコード読取、合成、製品認証の画面遷移を示す図
【符号の説明】
【００８５】
１００………製品認証システム
１０１………サーバ
１０２………製造メーカ
１０３………携帯型端末装置
１０４………消費者
１０５………プリンタ
１０９………ネットワーク
１１１………ユーザ登録手段
１１２………分割２次元バーコード生成手段
１１３………会員証発行手段
１１４………製品認証ラベル発行手段
１１５………製品情報提供手段
１２１………ユーザ情報入力手段
１２２………分割２次元バーコード読取手段
１２３………分割２次元バーコード合成手段
１２４………製品認証手段
２０１、４０１………制御部
２０２、４０２………記憶部
４０３………カメラ
３０１………顧客データベース
３０２………製品情報データベース
１０………会員証
１１………製品認証ラベル
１２………印字情報
１３………セキュリティ部材
１５−Ａ、１５−Ｂ………分割２次元バーコード
２０………製品
【図１】
2007025738.tif 000003
【図２】
2007025738.tif 000004
【図３】
2007025738.tif 000005
【図４】
2007025738.tif 000006
【図５】
2007025738.tif 000007
【図６】
2007025738.tif 000008
【図７】
2007025738.tif 000009
【図８】
2007025738.tif 000010
【図９】
2007025738.tif 000011
【図１０】
2007025738.tif 000012
【図１１】
2007025738.tif 000013
【図１２】
2007025738.tif 000014
【図１３】
2007025738.tif 000015